(57)【特許請求の範囲】
【請求項１】
第１のリブおよび第２のリブが形成される電池パックを第１の開放部または第２の開放部から装着することが可能な電池パック収納部と、
前記電池パック収納部に形成され、前記電池パックを前記電池パック収納部に装着する際に前記第１のリブと係合可能な第１の爪部と、
前記電池パック収納部に形成され、前記電池パックを前記電池パック収納部に装着する際に前記第２のリブと係合可能な第２の爪部と、
前記第１の爪部と前記第２の爪部の間で進退可能に配置され、前記第１の爪部側に傾斜面を有するロック部と、を備え、
前記電池パックを前記第１の開放部から前記電池パック収納部に装着する際には、前記第２のリブが前記ロック部の退避方向にて前記ロック部に当接して、前記ロック部を退避させ、
前記電池パックを前記第２の開放部から前記電池パック収納部に装着する際には、前記第１の爪部と係合している前記第２のリブが前記退避方向と交差する方向にて前記傾斜面に当接して、前記ロック部を退避させることを特徴とする撮像装置。
【請求項２】
前記電池パックを前記第１の開放部から前記電池パック収納部に装着する際には、前記第２のリブが前記退避方向にて前記ロック部に当接して、前記ロック部を退避させた後、前記電池パックを前記退避方向と交差する方向にスライドさせることで、前記第２のリブの一端が前記第２の爪部と係合するとともに、前記第２のリブの他端が前記ロック部と係合し、
前記電池パックを前記第２の開放部から前記電池パック収納部に装着する際には、前記第１の爪部と係合している前記第２のリブが前記退避方向と交差する方向にて前記傾斜面に当接して、前記ロック部を退避させた後、前記電池パックを前記退避方向と交差する方向にスライドさせることで、前記第２のリブの一端が前記第２の爪部と係合するととともに、前記第２のリブの他端が前記ロック部と係合することを特徴とする請求項１記載の撮像装置。
【発明の詳細な説明】
【技術分野】
【０００１】
本発明は、電池パックを収納する電池パック収納部を備える撮像装置に関する。
【背景技術】
【０００２】
近年、デジタルビデオカメラやデジタルカメラなどの撮像装置においては、機能を拡張する多機能化が進んでいる。また、撮像装置においては、機能を拡張する一方で、撮像装置の部品点数や組み立て工数を増やさない設計が重要となってきている。
【０００３】
図１０は、従来例に係る撮像装置の電気的構成を示すブロック図である。
【０００４】
図１０において、撮像装置１０００は、レンズ１０２１、撮像素子１０２２、カメラ信号処理部１０２３、モニタ１０２４、レコーダ１０２５、電源回路１０２６、画像変換回路１０２７、制御マイクロコンピュータ１０２８、操作キー１０２９を備える。
【０００５】
撮影に伴いレンズ１０２１を通過した被写体の光を撮像素子１０２２により電気信号に変換し、カメラ信号処理部１０２３により電気信号にデジタル処理を行う。デジタル処理後の画像データをレコーダ１０２５に記録し、画像をモニタ１０２４に表示する。また、撮影者はモニタ１０２４に表示される画像を確認しつつ操作キー１０２９を操作する。操作キー１０２９の操作内容を示すデータは、制御マイクロコンピュータ１０２８により具体的な処理内容を示すコマンドにブレークダウンされた後、各部に供給される。
【０００６】
図１１は、撮像装置１０００の外観を示す斜視図である。
【０００７】
図１１において、撮像装置１０００におけるレンズ１０２１の配設箇所に対して軸方向の反対側には、電池パックを収納する電池パック収納部１０１１が設けられている。
【０００８】
図１２は、撮像装置１０００の電池パック収納構造を示す斜視図である。図１３は、図１２のＢ部を示す拡大した斜視図である。
【０００９】
図１２、図１３において、撮像装置１０００の電池パック収納部１０１１には、バネで付勢されたロック部１０１２、第１の爪部１０１６、第２の爪部１０１７が配設されている。第１のリブ１０１４と第２のリブ１０１５を有する電池パック１０１３を、電池パック収納部１０１１の開放部からａ１方向へスライドさせた後、ａ２方向へスライドさせることで、電池パック収納部１０１１内に電池パック１０１３を装着する構造となっている。尚、電池パック１０１３は、一対の第１のリブ１０１４と第２のリブ１０１５が配設された面（下端部）と対称に反対側の面（下端部）にも同一形状の一対のリブを有する。
【００１０】
撮像装置の電池パック収納部に収納した電池パックをロックする電池パックロック機構に関しては、以下の技術が提案されている（例えば、特許文献１参照）。特許文献１では、電池パック収納部内の電池パックをロックするロック部とロックを解除するロック解除部がＬ字状に配置された構造となっている。
【特許文献１】特開２００５−１９０７３１号公報
【発明の開示】
【発明が解決しようとする課題】
【００１１】
しかしながら、図１２に示した従来の撮像装置のように、電池パックをａ１方向へスライドさせた後にａ２方向へスライドさせることで電池パック収納部に電池パックを収納する構造の場合、以下の問題がある。撮像装置を初めて用いる使用者は電池パックの装着方法を誤認識し、電池パックを電池パック収納部の開放部からａ１方向へスライドさせずに、電池パックを別の開放部からｂ方向にスライドさせて電池パック収納部に装着しようとしてしまう場合があった。使用者が電池パックの装着方法を間違えると、第２のリブ１０１５が配設された下端部と対称に反対側の下端部に配設されたリブと、電池パック収納部内の第１の爪部１０１６がぶつかるため、電池パックを装着できないという問題に陥ることが多々あった。
【００１２】
本発明の目的は、電池パック装着方法を間違えた場合に電池パックを装着できないという従来の問題を解消する電池パック収納構造を実現することを可能とした撮像装置を提供することにある。
【課題を解決するための手段】
【００１３】
上記目的を達成するために、本発明は、第１のリブおよび第２のリブが形成される電池パックを第１の開放部または第２の開放部から装着することが可能な電池パック収納部と、前記電池パック収納部に形成され、前記電池パックを前記電池パック収納部に装着する際に前記第１のリブと係合可能な第１の爪部と、前記電池パック収納部に形成され、前記電池パックを前記電池パック収納部に装着する際に前記第２のリブと係合可能な第２の爪部と、前記第１の爪部と前記第２の爪部の間で進退可能に配置され、前記第１の爪部側に傾斜面を有するロック部と、を備え、前記電池パックを前記第１の開放部から前記電池パック収納部に装着する際には、前記第２のリブが前記ロック部の退避方向にて前記ロック部に当接して、前記ロック部を退避させ、前記電池パックを前記第２の開放部から前記電池パック収納部に装着する際には、前記第１の爪部と係合している前記第２のリブが前記退避方向と交差する方向にて前記傾斜面に当接して、前記ロック部を退避させることを特徴とする。
【発明の効果】
【００１４】
本発明によれば、電池パック収納部の部材に簡易な加工を施している。そのため、電池パックを電池パック収納部の第１の開放部から装着する方法、第２の開放部から装着する方法のいずれの装着方法にかかわらず簡単に装着することができる。これにより、撮像装置の部品点数や組み立て工数を増やすことなく、電池パック装着方法を間違えた場合に電池パックを装着できないという従来の問題を解消する電池パック収納構造を実現することができる。
【発明を実施するための最良の形態】
【００１５】
以下、本発明の実施の形態を図面に基づいて説明する。
【００１６】
図１は、本発明の実施の形態に係る撮像装置の電池パック収納構造を示す斜視図である。図２は、図１のＡ部を拡大した斜視図である。
【００１７】
図１、図２において、撮像装置は、例えばデジタルビデオカメラとして構成されており、撮像装置本体２００の電気系統に電源を供給するための電池パック１１３が着脱可能に収納される電池パック収納部１１１を備えている。電池パック収納部１１１は、電池パック１１３が載置される電池パック載置面を備えており、図１の紙面上下方向（ａ１方向：第１の装着方向）、図１の紙面手前側から紙面奥側方向（ａ２方向、ｂ方向：第２の装着方向）の２つの方向に開放されている。
【００１８】
電池パック収納部１１１の電池パック載置面における一方の側壁面との境界付近には、第１の爪部１１６、ロック部１１２、第２の爪部１１７の順に、図１及び図２で紙面手前側から紙面奥側（ｂ方向：第２の装着方向）に沿って配置されている。第１の爪部１１６、ロック部１１２、第２の爪部１１７の順に配置する理由は、次のためである。即ち、電池パック１１３を第１の装着方法のみでなく第２の装着方法（後述）でも電池パック収納部１１１に装着可能とするためである。
【００１９】
また、電池パック収納部１１１の電池パック載置面における他方の側壁面との境界付近（不図示）には、第１の爪部１１６及び第２の爪部１１７に各々対称な位置関係で、第３の爪部及び第４の爪部（不図示）が配置されている。即ち、第１の爪部１１６及び第２の爪部１１７と、第３の爪部及び第４の爪部とは、電池パック収納部１１１における第２の装着方向に対して直交する両端部にそれぞれ配置されている。尚、ロック部１１２は、片方の端部（図１において電池パック収納部１１１の電池パック載置面の左端部）のみに配置されている。
【００２０】
電池パック収納部１１１のロック部１１２は、電池パック収納部内に装着された電池パック１１３をロックするものであり、図１及び図２で紙面奥側から紙面手前側にかけて傾斜した傾斜面が形成されている。即ち、ロック部１１２は、ｂ方向（第２の装着方向）とは逆方向に傾斜した傾斜面を有する。ロック部１１２は、バネ（不図示）によりａ１方向とは逆方向に付勢されている。これにより、ロック部１１２は、電池パック収納部１１１に対する後述の第１の装着方法あるいは第２の装着方法による電池パック１１３の装着動作に伴い、ａ１方向において進退（退避、復帰）が可能に構成されている。
【００２１】
即ち、電池パック収納部１１１に対する電池パック１１３の装着時において、電池パック１１３の第２のリブ１１５がロック部１１２に当接するに伴い、ロック部１１２はａ１方向に退避する。その後、電池パック１１３の第２のリブ１１５がロック部１１２を通過するに伴い、ロック部１１２は元の位置に復帰する。
【００２２】
電池パック１１３の一方の面の下端部には、一対の第１のリブ１１４及び第２のリブ１１５が配設されている（図１参照）。電池パック１１３の前記一方の面に対して対称な反対側の他方の面の下端部には、一対の第１のリブ１１４及び第２のリブ１１５に対してそれぞれ対称に、一対の第３のリブ１１４及び第４のリブ１１５が配設されている。
【００２３】
尚、説明の便宜上、第３のリブ及び第４のリブには、それぞれ第１のリブ１１４及び第２のリブ１１５と同じ符号を付すものとする（図５、図９参照）。第１のリブ１１４及び第２のリブ１１５と、第３のリブ１１４及び第４のリブ１１５とは、電池パック１１３における電池パック収納部１１１に対する第２の装着方向に対して直交する両端部にそれぞれ配置されている。
【００２４】
電池パック収納部１１１に電池パック１１３が装着されると、以下の動作が行われ、電池パック収納部１１１に電池パック１１３が収納された状態となる。即ち、電池パック１１３の第１のリブ１１４と第２のリブ１１５の各上面の一部が、電池パック収納部１１１内の第３の爪部と第４の爪部（不図示）の各下面の一部にそれぞれ当接する。その後、電池パック１１３の第１のリブ１１４、第２のリブ１１５に、それぞれ、電池パック収納部１１１内の第３の爪部、第４の爪部が係合する。
【００２５】
また、電池パック１１３の第３のリブ１１４と第４のリブ１１５の各上面の一部が、電池パック収納部１１１内の第１の爪部１１６と第２の爪部１１７の各下面の一部にそれぞれ当接する。その後、電池パック１１３の第３のリブ１１４、第４のリブ１１５に、それぞれ、電池パック収納部１１１内の第１の爪部１１６、第２の爪部１１７が係合する。更に、電池パック収納部１１１内のロック部１１２により、電池パック１１３の第２のリブ１１５がロックされる（以上、図１、図５、図９参照）。
【００２６】
電池パック収納部１１１には、第１の装着方法と第２の装着方法のいずれかで電池パック１１３を装着することが可能である。第１の装着方法は、電池パック１１３を電池パック収納部１１１の縦方向の開放部（図１で紙面上側）からａ１方向にスライドさせた後にａ２方向にスライドさせることで電池パック収納部内に電池パック１１３を装着する方法である。第２の装着方法は、電池パック１１３を電池パック収納部１１１の横方向の開放部（図１で紙面手前側）からｂ方向にスライドさせることで電池パック収納部内に電池パック１１３を装着する方法である。
【００２７】
また、図２に示すように、電池パック収納部１１１内の第１の爪部１１６は、ロック部１１２の傾斜面を臨む側のリブが切り欠かれている。これにより、電池パック１１３を電池パック収納部１１１の横方向の開放部（図２で紙面手前側）からｂ方向に挿入しスライドさせる場合（第２の装着方法）でも、電池パック１１３を電池パック収納部１１１に装着することが可能である。ここで、ａ１方向は、ロック部１１２が移動（退避）する方向であり、ａ２方向、ｂ方向は、それぞれａ１方向に対して直交する方向である。
【００２８】
第１の装着方法で電池パック１１３を電池パック収納部１１１に装着して収納する場合は、電池パック１１３の第２のリブ１１５が、電池パック収納部１１１の第１の爪部１１６を通過せずに、ロック部１１２に当接する。その結果、ロック部１１２がｂ方向に退避しながら電池パック１１３の装着動作に伴い電池パック１１３に対して摺動する。
【００２９】
他方、第２の装着方法で電池パック１１３を電池パック収納部１１１に装着して収納する場合は、電池パック１１３の第２のリブ１１５が、電池パック収納部１１１の第１の爪部１１６を通過し、ロック部１１２に当接する。その結果、ロック部１１２がｂ方向に退避しながら電池パック１１３の装着動作に伴い電池パック１１３に対して摺動する。
【００３０】
次に、上記構成を有する本実施の形態の撮像装置の電池パック収納部１１１に対する電池パック１１３の装着動作を図３乃至図９を参照しながら説明する。
【００３１】
図３、図４、図５は、撮像装置の電池パック収納部１１１に対し第１の装着方法で電池パック１１３を装着する場合を示す斜視図である。
【００３２】
図３、図４、図５において、使用者が電池パック１１３を電池パック収納部１１１の縦方向の開放部（図３で上方）からａ１方向にスライドさせながら挿入を開始する（図３）。これにより、電池パック１１３の第２のリブ部１１５が電池パック収納部１１１内のロック部１１２に当接するため、ロック部１１２がバネの付勢力に抗して下方に移動（退避）する（図４）。更に、使用者が電池パック１１３をａ２方向にスライドさせることにより、電池パック１１３を電池パック収納部１１１に装着し収納する。この時、電池パック１１３の第２のリブ部１１５は、元の位置に復帰（上昇）したロック部１１２によりロックされる（図５）。
【００３３】
図６、図７、図８、図９は、撮像装置の電池パック収納部１１１に対し第２の装着方法で電池パック１１３を装着する場合を示す斜視図である。
【００３４】
図６、図７、図８、図９において、使用者が電池パック１１３を電池パック収納部１１１の横方向の開放部（図６で右側）からｂ方向にスライドさせながら挿入を開始する（図６）。これにより、電池パック１１３の第２のリブ部１１５が電池パック収納部１１１内の第１の爪部１１６を通過した後、ロック部１１２に当接するため、ロック部１１２がバネの付勢力に抗して下方に移動（退避）する（図７、図８）。更に、使用者が電池パック１１３をｂ方向にスライドさせることにより、電池パック１１３を電池パック収納部１１１に装着し収納する。この時、電池パック１１３の第２のリブ部１１５は、元の位置に復帰（上昇）したロック部１１２によりロックされる（図９）。
【００３５】
以上詳細に説明したように、本実施の形態によれば、撮像装置の電池パック収納部１１１内の部材に傾斜面や切り欠きを設けるなどの簡易な加工を施すことで以下の作用及び効果を奏する。即ち、電池パック収納部１１１内のｂ方向に、第１の爪部１１６、ロック部１１２、第２の爪部１１７の順に配置し、第１の爪部１１６におけるロック部１１２の傾斜面を臨む側を切り欠き、ロック部１１２におけるｂ方向に対向する側に傾斜面を設ける。
【００３６】
本構成により、従来のように電池パックを電池パック収納部に対し第１の装着方向にスライドさせた後、第１の装着方向に直交する第２の装着方向へスライドさせて装着するだけではなく、第２の装着方向のみにスライドさせても装着することができる。これにより、撮像装置の部品点数や組み立て工数を増やすことなく、電池パック装着方法を間違えた場合に電池パックを装着できないという従来の問題を解消する電池パック収納構造を実現することができる。
【図面の簡単な説明】
【００３７】
【図１】本発明の実施の形態に係る撮像装置の電池パック収納構造を示す斜視図である。
【図２】図１のＡ部を拡大した斜視図である。
【図３】撮像装置の電池パック収納部に対し第１の装着方法で電池パックを装着する場合を示す斜視図である。
【図４】撮像装置の電池パック収納部に対し第１の装着方法で電池パックを装着する場合を示す斜視図である。
【図５】撮像装置の電池パック収納部に対し第１の装着方法で電池パックを装着する場合を示す斜視図である。
【図６】撮像装置の電池パック収納部に対し第２の装着方法で電池パックを装着する場合を示す斜視図である。
【図７】撮像装置の電池パック収納部に対し第２の装着方法で電池パックを装着する場合を示す斜視図である。
【図８】撮像装置の電池パック収納部に対し第２の装着方法で電池パックを装着する場合を示す斜視図である。
【図９】撮像装置の電池パック収納部に対し第２の装着方法で電池パックを装着する場合を示す斜視図である。
【図１０】従来例に係る撮像装置の電気的構成を示すブロック図である。
【図１１】撮像装置の外観を示す斜視図である。
【図１２】撮像装置の電池パック収納構造を示す斜視図である。
【図１３】図１２のＢ部を拡大した斜視図である。
【符号の説明】
【００３８】
１１１  電池パック収納部
１１２  ロック部
１１３  電池パック
１１４  第１のリブ
１１５  第２のリブ
１１６  第１の爪部
１１７  第２の爪部
２００  撮像装置本体
【図１】
0005383178.tif 000002
【図２】
0005383178.tif 000003
【図３】
0005383178.tif 000004
【図４】
0005383178.tif 000005
【図５】
0005383178.tif 000006
【図６】
0005383178.tif 000007
【図７】
0005383178.tif 000008
【図８】
0005383178.tif 000009
【図９】
0005383178.tif 000010
【図１０】
0005383178.tif 000011
【図１１】
0005383178.tif 000012
【図１２】
0005383178.tif 000013
【図１３】
0005383178.tif 000014